(57)【要約】【課題】スクリーンの取り外しや組み込みを容易に行うことができるリアプロジェクタを提供する。【解決手段】スクリーン４１を取り外す場合、先ず、第１の連結部のネジ６２を緩めて連結を外し、スクリーンユニット４０を開き、次に、錠部材７１を下方に下げ第２の連結部７０の連結を外して、スクリーン枠４２を開く。これによって、スクリーン４１は、解放されて取り外しが可能になる。スクリーン４１を組み込む場合には、開いたスクリーン枠４２と第２の筐体１２との間にスクリーン４１を入れ、錠部材７１近傍のスクリーン枠４２を第２の筐体１２側に押し付けることによってスクリーン枠４２を閉めて第２の連結部７０を連結させる。次に、スクリーンユニット４０を閉めた後、ネジ６２を締めて第１の連結部を連結する。【選択図】図５
2008181036.tif 000002
【特許請求の範囲】
【請求項１】
画像光を背面からスクリーンに投写するリアプロジェクタであって、
画像光を投写する投写ユニットと、
前記投写ユニットを収納し、該投写ユニットから投写された画像光が通過する領域に開口部を有する第１の筐体と、
前記スクリーンを備え、前記第１の筐体に対して開閉可能に枢着され、開閉によって前記開口部の閉塞及び開放が可能なスクリーンユニットと、
前記開口部を閉塞した場合に、該閉塞の状態を保持するよう前記スクリーンユニットを前記第１の筐体に連結する第１の連結部と、
を備え、
前記スクリーンユニットは、
前記スクリーンの前面側の周縁部と当接する枠状の第２の筐体と、
前記第２の筐体に対して開閉可能に枢着され、開閉によって前記第２の筐体に対する前記スクリーンの固定及び解放が可能であり、前記スクリーンを固定する際には、前記スクリーンの背面側の周縁部と当接して該スクリーンを前記第２の筐体とで挟むスクリーン枠と、
前記スクリーンを固定する場合に、該固定の状態を保持するよう前記スクリーン枠を前記第２の筐体に連結する第２の連結部と、
を有することを特徴とするリアプロジェクタ。
【請求項２】
請求項１に記載のリアプロジェクタであって、
前記スクリーン枠は、前記開口部が開放されたときに下側となる端部近傍が前記第２の筐体に枢着されており、前記開口部が開放されたときに上側となる端部近傍が前記第２の連結部で前記第２の筐体に連結されることを特徴とするリアプロジェクタ。
【請求項３】
請求項１または２に記載のリアプロジェクタであって、
前記スクリーンユニットは、前記開口部が開放された場合に、該スクリーンユニットの一部を支持することが可能な支持部材を備えていることを特徴とするリアプロジェクタ。
【請求項４】
請求項１〜３のいずれか一項に記載のリアプロジェクタであって、
前記スクリーンユニットは、前記第２の筐体と前記スクリーン枠とを連結し、該スクリーン枠を所定の開放状態に保持する保持部材を備えていることを特徴とするリアプロジェクタ。
【請求項５】
請求項１〜４のいずれか一項に記載のリアプロジェクタであって、
前記開口部が前記スクリーンユニットによって閉塞された状態では、前記開口部を囲う前記第１の筐体の縁部と、前記縁部に対向する前記第２の筐体の縁部との間に、密閉部材が介在していることを特徴とするリアプロジェクタ。
【発明の詳細な説明】
【技術分野】
【０００１】
本発明は、透過型のスクリーンを備えたリアプロジェクタに関する。
【背景技術】
【０００２】
近年、スクリーンの背面側から投写された画像をスクリーンの前面側から観賞するようにしたリアプロジェクタが家庭内のホームシアター等で使用されている。このリアプロジェクタは、光源から射出された光束を画像信号に応じて変調して画像光を投写する投写ユニットと、投写された画像光を反射する反射ミラーと、反射された画像光が投写される透過型のスクリーンと、これらの構成部品を収納する筐体と、を備えて構成されている。
【０００３】
透過型のスクリーンは、レンチキュラレンズシート、フレネルレンズシート等が重なって構成され、筐体の前面部を形成する前面パネルと、前面パネルの背面側に装着されるスクリーン枠との間に挟まれて固定されている。スクリーンは、画像品質上、レンチキュラレンズシートとフレネルレンズシートとの平行度が重要である。このために、レンチキュラレンズシートとフレネルレンズシートは、それぞれ反るように加工されており、互いの中央部が接近し、周縁部が離れるように重ねられた後に、周縁部がスクリーン枠で押さえられた状態で前面パネルにネジ止め固定されている。これにより、レンチキュラレンズシートとフレネルレンズシートとの平行度が保たれるとともに、経時変化による各シートの乖離を抑制している。ネジ止め固定は、スクリーンのサイズが大きいため、スクリーンの外周４辺の多数の箇所で行われている。
さらに、スクリーンが取り付けられた前面パネルは、筐体の背面部を形成している背面側筐体に対して、隙間が発生しないよう多数の箇所でネジ止めによって固定されている。
【０００４】
ところで、リアプロジェクタは、フィルタを介して外気を取り入れて内部を冷却しているが、フィルタで除去できない微細な塵埃等が内部に侵入して、スクリーンや反射ミラー等に付着し、表示画像を劣化させる虞がある。そのときは、製品を分解し、スクリーンや反射ミラー等を露出させ塵埃等を除去していた。しかし、リアプロジェクタの分解、組立ては、製品が大きく、重い等の理由により作業性が悪いうえ、上記に述べたようにネジ止め固定される箇所が多いため、手間もかかっていた。
【０００５】
そこで、スクリーンや反射ミラー等の汚れを簡単に清掃することが可能なリアプロジェクションテレビ（リアプロジェクタ）が提案されている（特許文献１参照）。
特許文献１に記載のリアプロジェクタでは、少なくともスクリーンとミラーを装着した上部キャビネット（筐体）におけるスクリーン部分（スクリーンが前面パネルに取り付けられたユニット）を開閉できる構成にし、開放された開口部からスクリーンや反射ミラー等の清掃を行うことが可能となっている。
【０００６】
【特許文献１】特開平１０−９７０００号公報
【発明の開示】
【発明が解決しようとする課題】
【０００７】
しかしながら、上記提案では、スクリーン部分の開閉は容易であるが、シート間に付着した塵埃等の除去を行う場合、あるいはスクリーンに汚れや傷等の欠陥がありスクリーンを交換する場合等のスクリーンの取り外しや組み込みについてはなんら言及されていない。一般的には、スクリーン部分を筐体からネジを外す等の手段により取り外した後に、フレーム（前面パネル）にネジ止めされたスクリーンを取り外すという作業が必要であると考えられる。しかし、スクリーン部分を筐体から外す作業は、一人では難しく、スクリーン部分を支える人とネジを外す人が必要になる。また、スクリーンは、フレームに多数の箇所でネジ止めされていると考えられるので、その多くのネジを外したり、締めたりする作業は、手間がかかるとともに新たな塵埃等を発生させてしまう虞もある。その場合には、組立て後に画像を確認しないと欠陥が発見できないことが多く、再度分解し塵埃等を除去して、組立てを行わなければならない。
【０００８】
本発明は、上記課題に鑑みてなされたものであり、その目的は、スクリーンの取り外しや組み込みを容易に行うことができるリアプロジェクタを提供することにある。
【課題を解決するための手段】
【０００９】
本発明のリアプロジェクタは、画像光を背面からスクリーンに投写するリアプロジェクタであって、画像光を投写する投写ユニットと、前記投写ユニットを収納し、該投写ユニットから投写された画像光が通過する領域に開口部を有する第１の筐体と、前記スクリーンを備え、前記第１の筐体に対して開閉可能に枢着され、開閉によって前記開口部の閉塞及び開放が可能なスクリーンユニットと、前記開口部を閉塞した場合に、該閉塞の状態を保持するよう前記スクリーンユニットを前記第１の筐体に連結する第１の連結部と、を備え、前記スクリーンユニットは、前記スクリーンの前面側の周縁部と当接する枠状の第２の筐体と、前記第２の筐体に対して開閉可能に枢着され、開閉によって前記第２の筐体に対する前記スクリーンの固定及び解放が可能であり、前記スクリーンを固定する際には、前記スクリーンの背面側の周縁部と当接して該スクリーンを前記第２の筐体とで挟むスクリーン枠と、前記スクリーンを固定する場合に、該固定の状態を保持するよう前記スクリーン枠を前記第２の筐体に連結する第２の連結部と、を有することを特徴とする。
【００１０】
この構成によれば、スクリーンユニットは、スクリーンと第２の筐体とスクリーン枠とを有し、画像光が通過する領域に開口部を有する第１の筐体に対して、開閉によって開口部の閉塞と開放が可能に枢着され、第１の連結部によって第１の筐体に連結されると閉塞の状態を保持する。スクリーン枠は、開閉によってスクリーンの固定及び解放ができるよう第２の筐体に枢着され、第２の連結部によって第２の筐体に連結されると固定の状態を保持する。これにより、スクリーンを取り外す場合には、第１の連結部によるスクリーンユニットと第１の筐体との連結を外してスクリーンユニットを開いた後に、第２の連結部によるスクリーン枠と第２の筐体との連結を外してスクリーン枠を開いてスクリーンを取り出す。また、スクリーンを組み込む場合には、スクリーンを第２の筐体とスクリーン枠の間に入れ、スクリーン枠を閉めて第２の連結部によりスクリーン枠を第２の筐体に連結する。そして、スクリーンユニットを閉めて第１の連結部によりスクリーンユニットを第１の筐体に連結する。このように簡単にスクリーンの取り外しや組み込みができるため、スクリーンに付着した塵埃等の除去作業や、スクリーンの不良等によるスクリーン交換が容易である。
【００１１】
このリアプロジェクタにおいて、前記スクリーン枠は、前記開口部が開放されたときに下側となる端部近傍が前記第２の筐体に枢着されており、前記開口部が開放されたときに上側となる端部近傍が前記第２の連結部で前記第２の筐体に連結されることが望ましい。
【００１２】
この構成によれば、スクリーンユニットを開いた後に、スクリーン枠が第２の筐体に枢着されている部位は、下側になり、第２の連結部は、上側になっている。このように、スクリーン枠の下側が枢着されているため、スクリーン枠を開閉するときにスクリーンが落下する心配がない。
【００１３】
このリアプロジェクタにおいて、前記スクリーンユニットは、前記開口部が開放された場合に、該スクリーンユニットの一部を支持することが可能な支持部材を備えていることが望ましい。
【００１４】
この構成によれば、スクリーンユニットは、スクリーンユニットの一部を支持することが可能な支持部材を備えているため、スクリーンユニットを開いたときに、枢着している部位にかかる荷重を軽減することが可能となる。
【００１５】
このリアプロジェクタにおいて、前記スクリーンユニットは、前記第２の筐体と前記スクリーン枠とを連結し、該スクリーン枠を所定の開放状態に保持する保持部材を備えていることが望ましい。
【００１６】
この構成によれば、スクリーン枠を開いたときに、スクリーン枠は、保持部材によって所定の開放状態に保持されるので、作業者がスクリーン枠を支えておかなくともスクリーンの取り外しや組み込みの作業が可能となり、より作業性が向上する。
【００１７】
このリアプロジェクタにおいて、前記開口部が前記スクリーンユニットによって閉塞された状態では、前記開口部を囲う前記第１の筐体の縁部と、前記縁部に対向する前記第２の筐体の縁部との間に、密閉部材が介在していることが望ましい。
【００１８】
この構成によれば、スクリーンユニットを閉じて開口部が閉塞の状態になったとき、開口部を囲う第１の筐体の縁部と、第１の筐体の縁部と対向する第２の筐体の縁部との間には、密閉部材が介在し、第１の筐体と第２の筐体との境界の隙間を埋めるので、第１の筐体と第２の筐体との境界から塵埃等の侵入を抑えることができる。
【発明を実施するための最良の形態】
【００１９】
以下、本発明の実施形態に係るリアプロジェクタについて、図面を参照して説明する。
図１は、本実施形態のリアプロジェクタの外観図であり、（ａ）は、前面側から見た正面図、（ｂ）は、天面側から見た平面図、（ｃ）は、前面側から見て左側の側面図、（ｄ）は、前面側から見て右側の側面図である。また、図２は、本実施形態のリアプロジェクタの概略構成を示す図であり、図１（ｃ）の断面図である。
【００２０】
図１、図２に示すように、リアプロジェクタ１は、第１の筐体１１と、投写ユニット２０と、反射ミラー３０と、スクリーンユニット４０とを備えて構成されている。
第１の筐体１１は、前面側に矩形の開口部１１ａが形成された略箱型の形状をしており、投写ユニット２０及び反射ミラー３０を収納する。
投写ユニット２０は、第１の筐体１１の下部に配置され、光源から射出された光束を画像信号に応じて変調して画像光を形成し、背面側の上方に配置された反射ミラー３０に向けて投写する。この投写ユニット２０は、具体的な図示は省略するが、光源（例えば、放電発光型の光源ランプや、ＬＥＤ（Ｌｉｇｈｔ・Ｅｍｉｔｔｉｎｇ・Ｄｉｏｄｅ）等の固体発光素子等）と、光源から射出された光束を画像信号に基づいて変調して画像光を形成する光変調装置（例えば、液晶パネル、入射側偏光板および射出側偏光板を備えた液晶ライトバルブやマイクロミラーを用いたデバイス等）と、画像光を拡大投写する投写レンズ等を備えて構成されている。
反射ミラー３０は、投写ユニット２０から投写された画像光を、開口部１１ａを閉塞するように配置されたスクリーンユニット４０に向けて反射する。
【００２１】
スクリーンユニット４０は、画像光を受光するスクリーン４１と、外装を構成する第２の筐体１２と、スクリーン枠４２とを有している。
スクリーン４１は、レンチキュラレンズシート４１ａと、フレネルレンズシート４１ｂとが重ねられて構成され、背面側で受光した画像光を前面側に透過させて画像を表示する。第２の筐体１２は、正面視で枠状（図１（ａ）参照）、側面視及び平面視で断面がコ字状（図２参照）をしており、その縁部１２０は、開口部１１ａを囲う第１の筐体１１の縁部１１０と対向している。スクリーン枠４２は、画像光が通過する領域に開口部４２ｂが形成された枠状の板金であり、スクリーン４１を第２の筐体１２に対して背面側から押し付ける。なお、スクリーン４１の前面側の周縁部と当接する第２の筐体１２の面を受面１２ａ、スクリーン４１の背面側の周縁部と当接するスクリーン枠４２の面を受面４２ａとする。
【００２２】
図３は、図１（ａ）におけるＸ１−Ｘ１断面図である。また、図４は、第１の筐体１１の縁部１１０と第２の筐体１２の縁部１２０とを示す詳細図であり、（ａ）は、図３におけるＭ部の詳細図、（ｂ）は、図１（ａ）におけるＸ２−Ｘ２断面図、（ｃ）は、図３におけるＨ部の詳細図である。
図１（ｄ）及び図３に示すように、スクリーンユニット４０は、第１の筐体１１の右側壁１１Ｒに蝶番５１によって枢着されており、第１の筐体１１に対して水平方向に開閉可能になっている。蝶番５１は、上下２ヶ所に取り付けられており、外側から目立たないように、第１の筐体１１の右側壁１１Ｒ及び第２の筐体１２の右側壁１２Ｒの内面に固定されている。
図４（ａ）に示すように、蝶番５１の２枚の回動板５１１，５１２は、Ｌ字状に加工されており、蝶番５１の軸心は、回動板５１１，５１２が固定される内面１１ｉ，１２ｉから離れて、縁部１１０と縁部１２０との境界の外面近傍に位置している。また、縁部１１０と縁部１２０の外面側角部には、面取り１１１，１２１が形成されており、スクリーンユニット４０を、蝶番５１の軸心を中心にして略９０°まで開くことが可能となっている。
【００２３】
次に、蝶番５１が取り付けられている右側壁１１Ｒ，１２Ｒ以外の縁部１１０，１２０について説明する。
図４（ｂ）に示すように、第１の筐体１１の縁部１１０には、外面１１ｅ側に段差が設けられており、肉厚が他の部分の略半分の内側突縁部１１５が形成されている。また、第２の筐体１２の縁部１２０には、内面１２ｄ側に段差が設けられており、肉厚が他の部分の略半分の外側突縁部１２５が形成されている。スクリーンユニット４０が閉じられた状態では、内側突縁部１１５の外面１１５ｃと外側突縁部１２５の内面１２５ｃとは、互いに対向している。また、内側突縁部１１５の端面１１５ａと、端面１１５ａと対向する第２の筐体１２の端面１２５ａとは、所定の距離Ｔだけ隔てられており、端面１１５ａと端面１２５ａとの間には、ウレタン等、圧縮が容易な材料からなる密閉部材１０１が配置されている。密閉部材１０１は、距離Ｔよりも厚肉に形成されており、スクリーンユニット４０を閉めた状態では、端面１１５ａと端面１２５ａとによって圧縮されて、第１の筐体１１と第２の筐体１２との境界の隙間を埋め、塵埃等が進入するのを抑制する。
【００２４】
図１（ｃ）及び図４（ｃ）に示すように、リアプロジェクタ１の左側の上下２ヶ所には、スクリーンユニット４０を第１の筐体１１に連結するために、ネジ６２及びナット６４からなる第１の連結部６０が備えられている。スクリーンユニット４０が第１の連結部６０によって第１の筐体１１に連結されると、スクリーンユニット４０が閉じた状態、即ち、第１の筐体１１の開口部１１ａがスクリーンユニット４０に閉塞された状態が保持される。
【００２５】
ここで、第１の連結部６０の詳細について説明する。
図４（ｃ）に示すように、第１の連結部６０は、第１の筐体１１の左側壁１１Ｌの縁部１１０、及び第２の筐体１２の左側壁１２Ｌの縁部１２０に備えられている。縁部１２０には、外側突縁部１２５の端面１２５ｂ（図４（ｂ）参照）から背面方向に延設された凸部１２２が形成されている。左側面視で凸部１２２の略中央部には、筒状の凹部１２２ｂが形成され、凹部１２２ｂの底面の中央部には、孔１２２ａが形成されている。縁部１１０には、凸部１２２と係合するように端面１２５ｂと対向する第１の筐体１１の端面１１５ｂ（図４（ｂ）参照）より背面方向に後退した凹部１１２が形成されている。凹部１１２には、スクリーンユニット４０が閉じた状態で孔１２２ａと同軸となるようにナット６４が取り付けられている。孔１２２ａには、ネジ６２が通されており、ネジ６２をナット６４に締めると、スクリーンユニット４０は、第１の筐体１１に連結される。なお、ネジ６２には、凸部１２２の内面側から孔１２２ａより大きい径の留め部材６３が取り付けられている。留め部材６３は、ネジ６２を緩めて第１の連結部６０の連結が外されたとき、凸部１２２の内面と当接するため、ネジ６２の紛失防止の役目をしている。また、凹部１２２ｂには、カバー６１が嵌着され、ネジ６２の頭を覆ってリアプロジェクタ１の外観を向上させている。
【００２６】
次に、スクリーンユニット４０を開いた状態について説明する。
図５は、本実施形態のリアプロジェクタ１のスクリーンユニット４０を略９０°開いた状態を示す図であり、第１の筐体１１の左側壁１１Ｌ側から見た図である。また、図６は、図５の状態のリアプロジェクタ１を前面側から見た図であり、スクリーンユニット４０は、断面を示している。
図５、図６に示すように、スクリーン枠４２は、下端近傍の左右２ヶ所に備えられた蝶番５５によって第２の筐体１２に枢着されている。蝶番５５は、２枚の回動板のうち一方が第２の筐体１２の下側壁の内面１２ｄに、他方がスクリーン枠４２の受面４２ａの裏面４２ｄに取り付けられ、第２の筐体１２に対してスクリーン枠４２を開閉させることが可能になっている。
【００２７】
スクリーン枠４２の上端近傍には、スクリーン枠４２を第２の筐体１２に連結する第２の連結部７０が左右２ヶ所に備えられている。第２の連結部７０は、スクリーン枠４２に備えられた錠部材７１（詳しくは後述する）と、錠部材７１を付勢するコイルバネ７２と、錠部材７１と係合するために第２の筐体１２に形成された凹部１２３とを有して構成される。スクリーン枠４２が第２の連結部７０によって第２の筐体１２に連結されると、スクリーン枠４２が閉じた状態、即ち、スクリーン４１が固定される状態が保持される。第２の連結部７０の連結が外されると、スクリーン枠４２は、蝶番５５の軸心を中心に回動し、スクリーン４１は解放される。
【００２８】
ここで、第２の連結部７０の詳細について説明する。
図７は、本実施形態のリアプロジェクタ１の第２の連結部７０を示す図であり、（ａ）は、図６におけるＰ部の拡大図であって、スクリーン枠４２が第２の筐体１２に連結された状態を示す図、（ｂ）は、錠部材７１及びコイルバネ７２の近傍を示す斜視図、（ｃ）は、スクリーン枠４２が第２の筐体１２に連結していない状態を示す図である。
図７（ａ）、（ｂ）に示すように、スクリーン枠４２の上端近傍には、裏面４２ｄ側に突出するように略直角にプレスされたＩ部４２２と、Ｉ部４２２から裏面４２ｄと略平行になるように上方向にプレスされたＬ部４２３とが形成され、Ｌ部４２３には矩形の孔４２３ａが設けられている。また、孔４２３ａの下方（スクリーン枠４２を閉じた状態の下方）には、Ｉ部４２２と同一面を有し、裏面４２ｄに対してＬ部４２３より突出した突起部４２４が形成されている。
【００２９】
錠部材７１は、断面が略Ｌ字状の板金であり、その一方の片７１１が突起部４２４と対向し、他方の片７１２がＬ部４２３と略平行な姿勢で先端が上方に向くように孔４２３ａに通されている。突起部４２４と片７１１の間には、コイルバネ７２が取り付けられており、錠部材７１は、上方向に付勢されて、片７１２の先端は、Ｌ部４２３の端部より上方向に飛び出ている。
【００３０】
図７（ａ）に示すように、第２の筐体１２の上側壁の内面１２ｄには、片７１２と係合するための凹部１２３が形成されており、片７１２と凹部１２３とが係合すると、スクリーン枠４２は、第２の筐体１２に連結される。コイルバネ７２の付勢力以上の加重が錠部材７１に上方から下方に向けて加わると、鎖線に示すように、錠部材７１は、下方に移動し、片７１２と凹部１２３との係合は、外れる。これによって、第２の連結部７０による連結が外れ、スクリーン枠４２は、第２の筐体１２に対して開閉可能になる。
【００３１】
図７（ｃ）に示すように、スクリーン枠４２が開閉可能な状態から第２の筐体１２に連結される場合には、錠部材７１近傍のスクリーン枠４２を第２の筐体１２側に押し付ける。そうすると、スクリーン枠４２は、蝶番５５の軸心を中心として受面１２ａに接近するように回動し、錠部材７１の片７１２は、内面１２ｄに形成された斜面１２ｆに当接する。さらに、スクリーン枠４２を第２の筐体１２側に押し付けると、片７１２は、斜面１２ｆに押されて下方に移動し、その後、片７１２が凹部１２３の位置に至ると錠部材７１は、コイルバネ７２の付勢により上昇し、片７１２と凹部１２３とが係合して、スクリーン枠４２は、第２の筐体１２に連結される。
【００３２】
なお、図５、図７に示すように、スクリーン枠４２の左右部分には、裏面４２ｄ側に突出するようにプレスされた曲げ部４２１Ｌ，４２１Ｒが形成され、下部分には、裏面４２ｄ側に突出する凸部４２ｃが絞り加工により形成されて、剛性が高められている。また、スクリーン枠４２の上部分は、曲げ加工によって形成されたＩ部４２２とＬ部４２３とによって剛性が高められている。これによって、スクリーン枠４２は、レンチキュラレンズシート４１ａとフレネルレンズシート４１ｂの平行度を保って、スクリーン４１を固定することができる。
【００３３】
また、図５、図６に示すように、スクリーンユニット４０は、支持部材８０を備えている。支持部材８０は、略直方体の形状をしており、その一端近傍が第２の筐体１２の下部に回動可能に取り付けられている。この支持部材８０を回動させることにより、支持部材８０の他端が設置面ＴＢに当接する状態と、鎖線に示すように略水平になる状態とを切り換えることが可能である。スクリーンユニット４０を閉じた場合には、支持部材８０を略水平にしておき、スクリーンユニット４０を開いた場合には、支持部材８０を略９０°回動させ、他端を設置面ＴＢに当接させる。これによって、支持部材８０は、蝶番５１とともにスクリーンユニット４０を支持することが可能となる。図５に示すように、支持部材８０が支持する位置は、スクリーンユニット４０の重心を挟んで蝶番５１が取り付けられている箇所（本実施形態では、右側壁１２Ｒ）と左右反対側（本実施形態では、左側壁１２Ｌ近傍）が望ましい。
【００３４】
図８は、本実施形態のリアプロジェクタ１のスクリーン枠４２を開いた状態を示す図であり、第１の筐体１１の左側壁１１Ｌ側から見た図である。また、図９は、図８の状態のリアプロジェクタ１を前面側から見た図であり、スクリーンユニット４０は、断面を示している。
図８、図９に示すように、スクリーン枠４２は、保持部材９０によって第２の筐体１２に連結されており、略９０°開いた状態を保持することが可能になっている。
【００３５】
保持部材９０は、細長い板材で形成された第１保持板９１と第２保持板９２とを有して構成されている。第１保持板９１は、その一端近傍が第２の筐体１２の右側壁１２Ｒの内面１２ｈに取り付けられ、回動することができる。また、第２保持板９２は、その一端近傍がスクリーン枠４２の右側壁１２Ｒ近傍の曲げ部４２１Ｒに取り付けられ、回動することができる。そして、第１保持板９１と第２保持板９２とは、軸９３で回動できるようにそれぞれの他端が繋がっている。このように、保持部材９０は、第２の筐体１２とスクリーン枠４２とを連結している。
保持部材９０は、スクリーン枠４２を閉めたときには、第１保持板９１と第２保持板９２とが重なり合い、スクリーンユニット４０内に収納される（図６参照）。スクリーン枠４２を開いていくと、第１保持板９１と第２保持板９２とは、重なりあっている状態からＶ字状に開いていき、スクリーン枠４２は、第１保持板９１と第２保持板９２とが略直線状になる状態のところで保持される。スクリーン枠４２を開くと、スクリーン４１は、スクリーン枠４２による固定から解放されて、取り出しができる状態となる。
【００３６】
次に、第２の連結部７０が連結されて、スクリーン４１が固定された後に、スクリーンユニット４０を閉めるときの様子について、図１０を用いて説明する。
図１０は、本実施形態のリアプロジェクタ１のスクリーンユニット４０が少し開いた状態を示す図であり、（ａ）は、天面側から見た図、（ｂ）は、（ａ）におけるＱ部の断面詳細図である。
図８、図１０（ａ）、（ｂ）に示すように、第１の筐体１１の縁部１１０の左側壁１１Ｌ近傍上方には、端面１１５ａより突出した円柱状のボス部１１６が設けられている。ボス部１１６の中心には、穴１１６ｂが設けられており、その開口部には面取りされた面１１６ａが形成されている。第２の筐体１２の縁部１２０の左側壁１２Ｌ近傍上方には、端面１２５ｂより突出する案内ピン１２６が設けられ、案内ピン１２６は、先端が面取りされた面１２６ａと円柱部１２６ｂとを有している。穴１１６ｂと円柱部１２６ｂは、スクリーンユニット４０を閉じたとき嵌合し、第２の筐体１２が第１の筐体１１に位置決めされる寸法設定になっている。
【００３７】
図１０（ａ）、（ｂ）に示すように、スクリーンユニット４０を閉めていくと、案内ピン１２６の先端が面１１６ａに案内されて、案内ピン１２６は、徐々に穴１１６ｂに入っていき、円柱部１２６ｂと穴１１６ｂとは嵌合する。案内ピン１２６の先端と面１１６ａの開口端との径の差は大きく、円柱部１２６ｂと穴１１６ｂとの径の差は小さい。これによって、スクリーンユニット４０を開いたときに左側壁１２Ｌ側がスクリーンユニット４０の自重によって下がった位置にある場合でも、案内ピン１２６がボス部１１６に案内されて、徐々に適正な位置決めがされるようにスクリーンユニット４０をスムースに閉じることができる。
【００３８】
ここで、スクリーン４１を交換する場合の手順について、図６、図７（ａ）、（ｃ）、図９を用いて説明する。
スクリーン４１を取り外す場合、先ず、ネジ６２を緩めてスクリーンユニット４０と第１の筐体１１との連結を外し、図６に示すように、スクリーンユニット４０を略９０°開いた後に、支持部材８０を設置面ＴＢに当接する状態にする。次に、図７（ａ）に示すように、錠部材７１を下方に下げスクリーン枠４２と第２の筐体１２との連結を外して、スクリーン枠４２を保持部材９０が保持するまで開く。これによって、図９に示すように、スクリーン枠４２は、略９０°開き、スクリーン４１は、解放されてスクリーン枠４２の上に載った状態になり、取り外しが可能になる。
【００３９】
スクリーン４１を組み込む場合には、先ず、図９に示すように、略９０°開いたスクリーン枠４２の上にスクリーン４１を載せて、スクリーン枠４２を受面１２ａに接近するように回動させていく。次に、図７（ｃ）に示すように、錠部材７１近傍のスクリーン枠４２を第２の筐体１２側に押し付けることによってスクリーン枠４２を閉めてスクリーン枠４２と第２の筐体１２とを連結させる。そして、支持部材８０を設置面ＴＢから離して、略水平な状態として、スクリーンユニット４０を閉めた後、ネジ６２を締めてスクリーンユニット４０と第１の筐体１１とを連結する。
【００４０】
以上説明したように、本実施形態のリアプロジェクタ１によれば、以下の効果を得ることができる。
（１）本実施形態のリアプロジェクタ１によれば、第１の連結部６０及び第２の連結部７０の連結を外す作業と、スクリーンユニット４０及びスクリーン枠４２を開く作業とでスクリーン４１を取り外すことができ、スクリーン枠４２及びスクリーンユニット４０を閉じる作業と、第２の連結部７０及び第１の連結部６０を連結させる作業とでスクリーン４１を組み込むことができる。このように簡単にスクリーンの取り外しや組み込みができるため、スクリーンに付着した塵埃等の除去作業や、スクリーンの不良等によるスクリーン交換が容易である。
【００４１】
（２）本実施形態のリアプロジェクタ１によれば、スクリーン枠４２は、スクリーンユニット４０を開いたときに下側となる端部近傍を第２の筐体１２に枢着され、上側となる端部近傍を第２の連結部７０で第２の筐体１２に連結されている。このように、スクリーン枠４２の下側が枢着されているため、スクリーン枠４２を開閉するときにスクリーン４１が落下する心配がない。
【００４２】
（３）本実施形態のリアプロジェクタ１によれば、スクリーンユニット４０は、スクリーンユニット４０の荷重の一部を支持することが可能な支持部材８０を備えているため、スクリーンユニット４０を開いたときに、枢着している部位にかかる荷重を軽減することが可能になる。また、支持部材８０によって、開いた状態のスクリーンユニット４０を安定にすることができるため、スクリーン４１の取り外しや組み込みの作業がやり易くなる。
【００４３】
（４）本実施形態のリアプロジェクタ１によれば、保持部材９０によってスクリーン枠４２を略９０°開いた状態に保持することができるため、作業者がスクリーン枠４２を支えておかなくともスクリーン４１の取り外しや組み込みの作業が可能となり、より作業性が向上する。
【００４４】
（５）本実施形態のリアプロジェクタ１によれば、スクリーンユニット４０を閉じて開口部１１ａが閉塞の状態になったとき、密閉部材１０１が圧縮して、第１の筐体１１と第２の筐体１２との境界の隙間を埋めるため、塵埃等が進入するのを抑制することができる。
【００４５】
（６）本実施形態のリアプロジェクタ１によれば、スクリーンユニット４０が第１の筐体１１の右側壁１１Ｒに枢着されているので、スクリーンユニット４０を開いたとき、反射ミラー３０等が露出した状態の開口部１１ａの前面側に作業スペースを設けることができる。これにより、反射ミラー等に付着した塵埃等を清掃する作業が容易になる。
【００４６】
（変形例）
なお、本発明は、このような実施形態になんら限定されるものではなく、その要旨を逸脱しない範囲内において種々なる態様での実施が可能である。例えば、以下のような変形例も可能である。
【００４７】
前記実施形態では、スクリーンユニット４０は、蝶番５１によって第１の筐体１１に枢着されているが、第２の筐体１２が第１の筐体１１に対して開閉可能に係合する部位を第２の筐体１２と第１の筐体１１とに形成し、スクリーンユニット４０が第１の筐体１１に対して枢着される形態であってもよい。また、スクリーン枠４２は、蝶番５５によって第２の筐体１２に枢着されているが、スクリーン枠４２が第２の筐体１２に対して開閉可能に係合する部位をスクリーン枠４２と第２の筐体１２とに形成し、スクリーン枠４２が第２の筐体１２に対して枢着される形態であってもよい。
【００４８】
前記実施形態では、第１の連結部６０の連結はネジ６２及びナット６４を用いているが、フック形態での連結であってもよい。
【００４９】
前記実施形態では、第２の連結部７０の連結は、スクリーン枠４２に備えられた錠部材７１と第２の筐体１２の凹部１２３との係合による連結を用いているが、スクリーン枠４２の裏面４２ｄ側から第２の筐体１２にネジ締めする形態での連結であってもよい。
【００５０】
前記実施形態では、第２の連結部７０は、スクリーン枠４２に備えられた可動する部材（錠部材７１）と、第２の筐体１２に備えられた部位（凹部１２３）との係合による連結を用いているが、可動する部材を第２の筐体１２に備え、可動する部材に係合する部位をスクリーン枠４２に備える形態であってもよい。
【００５１】
前記実施形態では、スクリーンユニット４０は、第１の筐体１１に対して略９０°開くことができ、スクリーン枠４２は、第２の筐体１２に対して略９０°開くことができるが、スクリーン４１の取り外しや組み込みの作業ができる範囲の開き量であればよい。
【００５２】
前記実施形態では、スクリーンユニット４０が第１の筐体１１の右側壁１１Ｒに枢着され、第１の連結部６０が第１の筐体１１の左側壁１１Ｌ、及び第２の筐体１２の左側壁１２Ｌに備えられている。しかし、スクリーンユニット４０が第１の筐体１１の左側壁１１Ｌに枢着され、第１の連結部６０が第１の筐体１１の右側壁１１Ｒ、及び第２の筐体１２の右側壁１２Ｒに備えられていてもよい。なお、この場合には、保持部材９０は、第２の筐体１２の左側壁１２Ｌ近傍に、ボス部１１６及び案内ピン１２６は、第１の筐体１１の右側壁１１Ｒ近傍及び第２の筐体１２の右側壁１２Ｒ近傍に配置されることが望ましいことはいうまでもない。
【００５３】
前記実施形態では、支持部材８０は、その一端近傍が第２の筐体１２の下部に回動できるように取り付けられ、回動によって支持部材８０の他端が設置面ＴＢに当接する状態と、設置面ＴＢから離れる状態とを切り換えることが可能であるが、支持部材８０を上下方向に移動できる構成にして、支持部材８０が設置面ＴＢに当接する状態と設置面ＴＢから離れて第２の筐体１２に収納される状態とを切り換える形態であってもよい。
【００５４】
前記実施形態では、反射ミラー３０を固定する構造については、述べていないが、第１の筐体１１側に反射ミラー３０を押し付ける反射ミラー枠を設け、第１の筐体１１に対して反射ミラー枠の下端近傍を開閉可能に枢着し、上端近傍を連結部で連結させることによって反射ミラー３０を固定する形態であってもよい。このようにすることで、反射ミラー３０の取り外しや組み込みの作業が容易になり、反射ミラー３０に付着した塵埃等の除去作業や、反射ミラー３０の不良等による反射ミラー３０の交換が容易となる。
【図面の簡単な説明】
【００５５】
【図１】本実施形態のリアプロジェクタの外観図であり、（ａ）は、前面側から見た正面図、（ｂ）は、天面側から見た平面図、（ｃ）は、前面側から見て左側の側面図、（ｄ）は、前面側から見て右側の側面図。
【図２】本実施形態のリアプロジェクタの概略構成を示す図であり、図１（ｃ）の断面図。
【図３】図１（ａ）におけるＸ１−Ｘ１断面図。
【図４】第１の筐体の縁部と第２の筐体の縁部とを示す詳細図であり、（ａ）は、図３におけるＭ部の詳細図、（ｂ）は、図１（ａ）におけるＸ２−Ｘ２断面図、（ｃ）は、図３におけるＨ部の詳細図。
【図５】本実施形態のリアプロジェクタのスクリーンユニットを略９０°開いた状態を示す図であり、第１の筐体の左側壁側から見た図。
【図６】図５の状態のリアプロジェクタを前面側から見た図。
【図７】本実施形態のリアプロジェクタの第２の連結部を示す図であり、（ａ）は、図６におけるＰ部の拡大図であって、スクリーン枠が第２の筐体に連結された状態を示す図、（ｂ）は、錠部材及びコイルバネの近傍を示す斜視図、（ｃ）は、スクリーン枠が第２の筐体に連結していない状態を示す図。
【図８】本実施形態のリアプロジェクタのスクリーン枠を開いた状態を示す図であり、第１の筐体の左側壁側から見た図。
【図９】図８の状態のリアプロジェクタを前面側から見た図。
【図１０】本実施形態のリアプロジェクタのスクリーンユニットが少し開いた状態を示す図であり、（ａ）は、天面側から見た図、（ｂ）は、（ａ）におけるＱ部の断面詳細図。
【符号の説明】
【００５６】
１…リアプロジェクタ、１１…第１の筐体、１１Ｌ…第１の筐体の左側壁、１１Ｒ…第１の筐体の右側壁、１１ａ…開口部、１２…第２の筐体、１２Ｌ…第２の筐体の左側壁、１２Ｒ…第２の筐体の右側壁、２０…投写ユニット、３０…反射ミラー、４０…スクリーンユニット、４１…スクリーン、４１ａ…レンチキュラレンズシート、４１ｂ…フレネルレンズシート、４２…スクリーン枠、５１…蝶番、５５…蝶番、６０…第１の連結部、６２…ネジ、６４…ナット、７０…第２の連結部、７１…錠部材、７２…コイルバネ、８０…支持部材、９０…保持部材、９１…第１保持板、９２…第２保持板、１０１…密閉部材、１１０，１２０…縁部、１１６…ボス部、１２３…凹部、１２６…案内ピン、５１１，５１２…回動板。
【図１】
2008181036.tif 000003
【図２】
2008181036.tif 000004
【図３】
2008181036.tif 000005
【図４】
2008181036.tif 000006
【図５】
2008181036.tif 000007
【図６】
2008181036.tif 000008
【図７】
2008181036.tif 000009
【図８】
2008181036.tif 000010
【図９】
2008181036.tif 000011
【図１０】
2008181036.tif 000012